(57)【要約】【課題】  受け入れたＩＣコインに対して情報を読み書きするのに、ＩＣコイン保留回転盤を回動させる必要がない効率の良いＩＣコイン処理装置およびこのＩＣコイン処理装置を備えた遊技媒体貸出機を提供することを課題としている。【解決手段】  ＩＣコイン保留部３の外方に位置してＩＣコイン導入路２ａとＩＣコイン排出路４ａとに通じるＩＣコイン一時停止部５と、このＩＣコイン一時停止部５にＩＣコイン１を留め置く姿勢と、ＩＣコイン排出路４ａへの排出を許容する状態とに切り替え可能な排出規制手段６と、ＩＣコイン一時停止部５に留め置かれたＩＣコイン１に情報を読み書き可能なＩＣコインリーダーライター部７とを備え、このＩＣコインリーダーライター部７は、ＩＣコイン１からＩＣコイン１に記憶された情報を読み込み可能で、かつＩＣコイン１に、情報を書き込み可能である。【選択図】    図３
2006048662.tif 000002
【特許請求の範囲】
【請求項１】
ＩＣコインに情報を読み書き可能なＩＣコイン処理装置であって、
ＩＣコインを受け入れるＩＣコイン受け入れ口と、
このＩＣコイン受け入れ口から受け入れたＩＣコインを一時保留可能なＩＣコイン保留部と、
このＩＣコイン保留部からＩＣコインを排出するＩＣコイン排出口と、
ＩＣコイン保留部の外方に位置してＩＣコイン受け入れ口からこのＩＣコイン保留部へのＩＣコイン導入路と、ＩＣコイン保留部からＩＣコイン排出口へのＩＣコイン排出路に通じるＩＣコイン一時停止部と、
このＩＣコイン一時停止部にＩＣコインを留め置く姿勢と、ＩＣコイン一時停止部からＩＣコイン排出路へＩＣコインの排出を許容する状態とに切り替え可能な排出規制手段と、
このＩＣコイン一時停止部に臨む位置に設けられ、排出規制手段によりＩＣコイン一時停止部に留め置かれたＩＣコインに情報を読み書き可能なＩＣコインリーダーライター部と、
を備え、
このＩＣコインリーダーライター部は、ＩＣコイン受け入れ口から受け入れられ、ＩＣコイン一時停止部に留め置かれたＩＣコインからＩＣコインに記憶された情報を読み込み可能で、かつＩＣコイン一時停止部に留め置かれたＩＣコインに、情報を書き込み可能であることを特徴とするＩＣコイン処理装置。
【請求項２】
上記ＩＣコイン保留部が満杯になった状態に対応して、余剰のＩＣコインをＩＣコイン保留部から多数のＩＣコインを回収可能なＩＣコイン回収部へ回収する回収通路を備えたことを特徴とする請求項１に記載のＩＣコイン処理装置。
【請求項３】
上記ＩＣコイン保留部は、
ＩＣコイン処理装置の中に設けられた平らな静止版と、
この静止板に平行に設けられ、回動軸を中心として回動する円盤部、その周縁に沿って配列され、ＩＣコインを保持可能な複数の保持部および、この保持部の間の仕切り部を有し、かつ静止板との間にＩＣコインを保留するＩＣコイン保留回転盤とを備え、
上記ＩＣコイン保留回転盤は、回動軸を中心として回動することにより、保持部の間の仕切り部の外周側端部で、ＩＣコインの保持部への導入を規制してＩＣコインをＩＣコイン一時停止部に留め置く留め置き姿勢と、ＩＣコイン一時停止部から保持部にＩＣコインを導入する導入姿勢との間で姿勢変更可能に設けられており、
かつ回動軸を中心として回動することにより、保持部に保持されたＩＣコインを保持部の回動軌道上に設けられたガイドローラに当接させて保持部からＩＣコイン一時停止部へと押し出し可能に設けられていることを特徴とする請求項１または請求項２に記載のＩＣコイン処理装置。
【請求項４】
上記ＩＣコイン保留部は、
ＩＣコイン処理装置の中に静止して設けられ、一方の面から他方の面にＩＣコインを挿通可能な挿通孔を有する平らな中間仕切り板と、
この中間仕切り板に平行に設けられ、回動軸を中心として回動する円盤部、その周縁に沿って配列され、ＩＣコインを保持可能な複数の保持部および、この保持部の間の仕切り部を有し、かつ中間仕切り板との間にＩＣコインを保留する第1のＩＣコイン保留回転盤と、
中間仕切り板を挟んで第1のＩＣコイン保留回転盤と反対側の中間仕切り板の面に平行に設けられ、回動軸を中心として回動する円盤部、その周縁に沿って配列され、中間仕切り板を通して第1のＩＣコイン保留回転盤から供給されたＩＣコインを保持可能な複数の保持部および、この保持部の間の仕切り部を有し、かつ上記中間仕切り板との間にＩＣコインを挟んで保留する第２のＩＣコイン保留回転盤と、
を備え、
上記第1のＩＣコイン保留回転盤は、その回動軸を中心として回動することにより、保持部の間の仕切り部の外周側端部で、ＩＣコインの保持部への導入を規制してＩＣコインをＩＣコイン一時停止部に留め置く留め置き姿勢と、ＩＣコイン一時停止部から保持部にＩＣコインを導入する導入姿勢との間で姿勢変更可能に設けられており、
かつ回動軸を中心として一方に回動することにより、保持部に保持されたＩＣコインを保持部の回動軌道上に設けられたガイドローラに当接させて保持部からＩＣコイン一時停止部へと押し出し可能に設けられており、
かつ回動軸を中心として他方に回動することにより、保持部に保持されたＩＣコインを中間仕切り板の挿通孔に設けられた一対の移送ガイド爪の一方に当接させて第1のＩＣコイン保留回転盤の保持部から第２のＩＣコイン保留回転盤の保持部へとＩＣコインを移送可能に設けられており、
上記第２のＩＣコイン保留回転盤は、その回動軸を中心として一方に回動することにより、第1のＩＣコイン保留回転盤の保持部から第２のＩＣコイン保留回転盤の各保持部へと移送されるＩＣコインを順次受け入れ可能に設けられており、
かつ回動軸を中心として他方に回動することにより、その保持部に保持されたＩＣコインを中間仕切り板の挿通孔に設けられた一対の移送ガイド爪の他方に当接させて第２のＩＣコイン保留回転盤の保持部から第１のＩＣコイン保留回転盤の保持部へとＩＣコインを移送可能に設けられていることを特徴とする請求項１または請求項２に記載のＩＣコイン処理装置。
【請求項５】
上記ＩＣコイン保留部は、１つのＩＣコインを保持可能な保持部と、
このＩＣコインの保持部への導入を規制してＩＣコインをＩＣコイン一時停止部に留め置く留め置き姿勢と、ＩＣコイン一時停止部から保持部にＩＣコインを導入する導入姿勢との間で姿勢変更可能な保持部受け入れ手段と、
保持部に保持されたＩＣコインを保持部からＩＣコイン一時停止部へと押し出し可能に設けられている保持部押し出し手段とを備えていることを特徴とする請求項１または請求項２に記載のＩＣコイン処理装置。
【請求項６】
ＩＣコイン受け入れ口からＩＣコインリーダーライター部へのコインの導入を規制する突出姿勢と、ＩＣコイン受け入れ口からＩＣコインリーダーライター部へＩＣコインを導入する退避姿勢との間で姿勢変更可能な受け入れ口ピンを備えていることを特徴とする請求項１ないし請求項５のいずれかに記載のＩＣコイン処理装置。
【請求項７】
ＩＣコインリーダーライター部で読み取られたＩＣコインが不良ＩＣコインである場合に、この不良ＩＣコインを、一旦受け入れたＩＣコイン保留部からＩＣコインリジェクト口へ導くリジェクト路と、
ＩＣコイン保留部からリジェクト路に不良ＩＣコインをリジェクトする退避姿勢と、ＩＣコイン保留部に不良ＩＣコインを留め置く突出姿勢との間で姿勢変更可能なリジェクト規制ピンと、
を備えていることを特徴とする請求項１ないし請求項６のいずれかに記載のＩＣコイン処理装置。
【請求項８】
ＩＣコインと交換に遊技媒体を貸し出す遊技媒体貸出機であって、
請求項１ないし請求項７のいずれかに記載のＩＣコイン処理装置と、
遊技媒体を払い出す遊技媒体払出部と、
少なくともこれらＩＣコイン処理装置と、遊技媒体払出部とを制御する制御部と、
この制御部の制御に係る情報を記憶する記憶部と、
遊技媒体払出部が遊技媒体を１バッチ分だけ払い出すように要求する遊技媒体払い出し要求信号を制御部に対して発生させる遊技媒体払い出しボタンと、
を備え、
上記制御部は、ＩＣコイン処理装置のＩＣコインリーダーライター部において読み込んだＩＣコインに記憶されたコインの価値に係る情報を、記憶部に記憶させるとともに、遊技媒体払い出しボタンにおける遊技媒体払い出し要求信号の発生に対応して、そのつど記憶部に記憶されたコインの価値に係る情報を確認し、このコインの価値の残高が遊技媒体の払い出しに足る間は、遊技媒体払い出しボタンにおいて遊技媒体払い出し要求信号が発生する度に、所定枚数の遊技媒体を遊技媒体払出部から払い出し、かつ記憶部に記憶されたコインの価値の残高を払い出した遊技媒体の価額に相当する分だけ減額するように制御するものであり、
遊技の終了に際して、このコインの価値の残高の情報をＩＣコインリーダーライター部においてＩＣコインに書き込むとともに、このコインの価値の残高の情報が書き込まれたＩＣコインをＩＣコイン排出口に排出することを特徴とする遊技媒体貸出機。
【請求項９】
遊技の終了に際して、コインの価値について残高がない場合、ＩＣコインを排出せずにＩＣコイン保留部に保留することを特徴とする請求項８に記載の遊技媒体貸出機。
【請求項１０】
紙幣を受け入れる紙幣受け入れ口を有して受け入れた紙幣を識別可能な紙幣識別装置を備え、
上記ＩＣコイン保留部は、コインの価値に係る情報を書き込み可能なＩＣコインをあらかじめ少なくとも１個保留可能であり、
上記制御部は、紙幣識別装置における紙幣の受け入れに対応して、識別した紙幣の価値に係る情報を、記憶部に記憶するとともに、遊技媒体払い出しボタンにおける遊技媒体払い出し要求信号の発生に対応して、記憶部に記憶された価値に係る情報を確認するとともに、この価値の残高が遊技媒体の払い出しに足る間は、遊技媒体払い出しボタンにおいて遊技媒体払い出し要求信号が発生する度に、所定枚数の遊技媒体を遊技媒体払出部から払い出し、かつ記憶部に記憶された価値の残高を払い出した遊技媒体の価額に相当する分だけ減額するように制御するものであり、
遊技の終了に際してＩＣコイン保留部に保留されたＩＣコインの１つをＩＣコインリーダーライター部に排出するとともに、記憶部に記憶された価値の残高の情報をＩＣコインに書き込んでＩＣコイン排出口に返却することを特徴とする請求項８または請求項９のいずれかに記載の遊技媒体貸出機。
【請求項１１】
遊技を終了してＩＣコインの返却を要求するＩＣコイン返却要求信号を発生させる精算ボタンを備え、
上記制御部は、この精算ボタンにおけるコイン返却要求信号の発生に対応して、ＩＣコインリーダーライター部が、コインの価値に係る情報をＩＣコインに書き込むとともに、この情報が書き込まれたＩＣコインをＩＣコイン排出口から返却するように制御するものであることを特徴とする請求項８ないし請求項１０のいずれかに記載の遊技媒体貸出機。
【発明の詳細な説明】
【技術分野】
【０００１】
本発明は、例えばゲームセンターのスロットマシンなどの遊技機に併設され、ＩＣコインと交換に遊技媒体を貸し出す遊技媒体貸出機と、このような遊技媒体貸出機に設けられ、ＩＣコインに情報を書き込み可能なＩＣコイン処理装置とに関するものである。
【背景技術】
【０００２】
一般に、ＩＣコインと交換に遊技媒体を貸し出す遊技媒体貸出機は、ＩＣタグを担持してなるＩＣコインに情報を読み書き可能なＩＣコイン処理装置を備えている。
【０００３】
また、このようなＩＣコイン処理装置は、一般にＩＣコイン受け入れ口から受け入れたＩＣコインを一時保留可能なＩＣコイン保留部を備えている。
【０００４】
従来、このようなＩＣコイン保留部として、回動軸を中心として回動する円盤部と、ＩＣコインを保持可能な複数の保持部とを有するＩＣコイン保留回転盤が種々提案されている。
【０００５】
例えば、特許文献１には、回動可能な保持回動体の円周上の位置にＩＣコインを保持可能な複数の保持部を形成するとともに、この保持部の回転軌跡上の所定位置にＩＣコインと非接触状態で通信を行う通信手段を対設したＩＣコイン処理装置の技術が開示されている。
【特許文献１】特開２００１−３２７７４７号公報
【発明の開示】
【発明が解決しようとする課題】
【０００６】
しかしながら、上述の公報に開示されたＩＣコイン処理装置は、保持部の回転軌跡上の所定位置に通信手段を対設しているので、受け入れたＩＣコインから情報を読み込むのにも、返却するＩＣコインに対して情報を書き込むのにも、保持回動体を通信手段の所定位置にまで回動させる必要があるという問題があった。
【０００７】
本発明は上記不具合に鑑みてなされたものであり、受け入れたＩＣコインに対して情報を読み書きするのに際して、ＩＣコイン保留回転盤を回動させてＩＣコインをＩＣコインリーダーライター部に移動させる必要がない効率の良いＩＣコイン処理装置およびこのＩＣコイン処理装置を備えた遊技媒体貸出機を提供することを課題としている。
【課題を解決するための手段】
【０００８】
上記課題を解決するための本発明に係るＩＣコイン処理装置は、ＩＣコインに情報を読み書き可能なＩＣコイン処理装置であって、ＩＣコインを受け入れるＩＣコイン受け入れ口と、このＩＣコイン受け入れ口から受け入れたＩＣコインを一時保留可能なＩＣコイン保留部と、このＩＣコイン保留部からＩＣコインを排出するＩＣコイン排出口と、ＩＣコイン保留部の外方に位置してＩＣコイン受け入れ口からこのＩＣコイン保留部へのＩＣコイン導入路と、ＩＣコイン保留部からＩＣコイン排出口へのＩＣコイン排出路とに通じるＩＣコイン一時停止部と、このＩＣコイン一時停止部にＩＣコインを留め置く姿勢と、ＩＣコイン一時停止部からＩＣコイン排出路へＩＣコインの排出を許容する状態とに切り替え可能な排出規制手段と、このＩＣコイン一時停止部に臨む位置に設けられ、排出規制手段によりＩＣコイン一時停止部に留め置かれたＩＣコインに情報を読み書き可能なＩＣコインリーダーライター部とを備え、このＩＣコインリーダーライター部は、ＩＣコイン受け入れ口から受け入れられ、ＩＣコイン一時停止部に留め置かれたＩＣコインからＩＣコインに記憶された情報を読み込み可能で、かつＩＣコイン一時停止部に留め置かれたＩＣコインに、情報を書き込み可能であることを特徴とするＩＣコイン処理装置である。
【０００９】
本発明に係るＩＣコイン処理装置によれば、ＩＣコイン保留回転盤の外方に位置するＩＣコイン一時停止部に臨む位置にＩＣコインリーダーライター部が設けられているので、受け入れたＩＣコインの情報を読み込むのにも、返却するＩＣコインに対して情報を書き込むのにも、従来技術のようにＩＣコイン保留回転盤を回動させてＩＣコインをＩＣコインリーダーライター部に移動させる必要がない。その結果、ＩＣコイン保留回転盤を回動させることなく、ＩＣコインの受け入れと、ＩＣコインに対する情報の読み書きと、ＩＣコインの返却とを行うことができる。
【００１０】
また、ＩＣコイン保留回転盤に保留されるＩＣコインは、すべて同じように情報の書き込み前のＩＣコインとして区別することなく扱うことができる。
【００１１】
ここで、このＩＣコイン処理装置は、上記ＩＣコイン保留部が満杯になった状態に対応して、余剰のＩＣコインをＩＣコイン保留部から多数のＩＣコインを回収可能なＩＣコイン回収部へ回収する回収通路を備えていることが好ましい。
【００１２】
このようにすれば、ＩＣコイン保留部が満杯になっても、余剰のＩＣコインを回収通路を介してＩＣコイン回収部へ回収するので、ＩＣコインを受け入れることが不能な状態に陥ることがない。
【００１３】
また、上記ＩＣコイン保留部は、ＩＣコイン処理装置の中に設けられた平らな静止版と、この静止板に平行に設けられ、回動軸を中心として回動する円盤部、その周縁に沿って配列され、ＩＣコインを保持可能な複数の保持部および、この保持部の間の仕切り部を有し、かつ静止板との間にＩＣコインを保留するＩＣコイン保留回転盤とを備え、上記ＩＣコイン保留回転盤は、回動軸を中心として回動することにより、保持部の間の仕切り部の外周側端部で、ＩＣコインの保持部への導入を規制してＩＣコインをＩＣコイン一時停止部に留め置く留め置き姿勢と、ＩＣコイン一時停止部から保持部にＩＣコインを導入する導入姿勢との間で姿勢変更可能に設けられており、かつ回動軸を中心として回動することにより、保持部に保持されたＩＣコインを保持部の回動軌道上に設けられたガイドローラに当接させて保持部からＩＣコイン一時停止部へと押し出し可能に設けられていることが好ましい。
【００１４】
このようにすれば、保持部の間の仕切り部の外周側端部でＩＣコインの保持部への導入を規制するという簡単な構成でＩＣコインをＩＣコイン一時停止部に留め置くことができるだけでなく、この留め置き姿勢からＩＣコイン保留回転盤が回動して導入姿勢に変位するという簡単な構成で、ＩＣコイン一時停止部から保持部にＩＣコインを導入することができる。
【００１５】
また、保持部に保持されているＩＣコインは、ＩＣコイン保留回転盤が回動して、ＩＣコイン保留回転盤の回動軌道上に設けられたガイドローラに当接させるという簡単な構成でＩＣコイン一時停止部へ押し出すことできる。
【００１６】
このように、特に複雑な機構を追加しなくとも簡単な構成でＩＣコインの導入と排出とを行うことができるので、安価なＩＣコイン処理装置を実現することができる。
【００１７】
あるいは、上記ＩＣコイン保留部は、以下のように構成してもよい。
【００１８】
すなわち、上記ＩＣコイン保留部は、ＩＣコイン処理装置の中に静止して設けられ、一方の面から他方の面にＩＣコインを挿通可能な挿通孔を有する平らな中間仕切り板と、この中間仕切り板に平行に設けられ、回動軸を中心として回動する円盤部、その周縁に沿って配列され、ＩＣコインを保持可能な複数の保持部および、この保持部の間の仕切り部を有し、かつ中間仕切り板との間にＩＣコインを保留する第1のＩＣコイン保留回転盤と、中間仕切り板を挟んで第1のＩＣコイン保留回転盤と反対側の中間仕切り板の面に平行に設けられ、回動軸を中心として回動する円盤部、その周縁に沿って配列され、中間仕切り板を通して第1のＩＣコイン保留回転盤から供給されたＩＣコインを保持可能な複数の保持部および、この保持部の間の仕切り部を有し、かつ上記中間仕切り板との間にＩＣコインを挟んで保留する第２のＩＣコイン保留回転盤と、を備え、上記第1のＩＣコイン保留回転盤は、その回動軸を中心として回動することにより、保持部の間の仕切り部の外周側端部で、ＩＣコインの保持部への導入を規制してＩＣコインをＩＣコイン一時停止部に留め置く留め置き姿勢と、ＩＣコイン一時停止部から保持部にＩＣコインを導入する導入姿勢との間で姿勢変更可能に設けられており、かつ回動軸を中心として一方に回動することにより、保持部に保持されたＩＣコインを保持部の回動軌道上に設けられたガイドローラに当接させて保持部からＩＣコイン一時停止部へと押し出し可能に設けられており、かつ回動軸を中心として他方に回動することにより、保持部に保持されたＩＣコインを中間仕切り板の挿通孔に設けられた一対の移送ガイド爪の一方に当接させて第1のＩＣコイン保留回転盤の保持部から第２のＩＣコイン保留回転盤の保持部へとＩＣコインを移送可能に設けられており、上記第２のＩＣコイン保留回転盤は、その回動軸を中心として一方に回動することにより、第1のＩＣコイン保留回転盤の保持部から第２のＩＣコイン保留回転盤の各保持部へと移送されるＩＣコインを順次受け入れ可能に設けられており、かつ回動軸を中心として他方に回動することにより、その保持部に保持されたＩＣコインを中間仕切り板の挿通孔に設けられた一対の移送ガイド爪の他方に当接させて第２のＩＣコイン保留回転盤の保持部から第１のＩＣコイン保留回転盤の保持部へとＩＣコインを移送可能に設けられているように、構成することも可能である。
【００１９】
このようにすれば、簡単な構成でＩＣコインをＩＣコイン一時停止部に留め置くことができるだけでなく、ＩＣコイン一時停止部から保持部にＩＣコインを導入したり、保持部に保持されているＩＣコインをＩＣコイン一時停止部へ押し出すことできるので、安価なＩＣコイン処理装置を実現することができる。
【００２０】
また、第1のＩＣコイン保留回転盤と第２のＩＣコイン保留回転盤が回動することにより、ＩＣコインが第1のＩＣコイン保留回転盤の保持部から中間仕切り板の挿通孔を通して第２のＩＣコイン保留回転盤の各保持部へと順次移送されるので、同じ数量のＩＣコイン保留量であってもＩＣコイン保留回転盤の径を小さく設計することが可能になる結果、奥行きの狭いスペースにも配置することができるＩＣコイン処理装置を実現することが可能になる。
【００２１】
さらに、上記ＩＣコイン保留部は、以下のように構成してもよい。
【００２２】
すなわち、上記ＩＣコイン保留部は、１つのＩＣコインを保持可能な保持部と、このＩＣコインの保持部への導入を規制してＩＣコインをＩＣコイン一時停止部に留め置く留め置き姿勢と、ＩＣコイン一時停止部から保持部にＩＣコインを導入する導入姿勢との間で姿勢変更可能な保持部受け入れ手段と、保持部に保持されたＩＣコインを保持部からＩＣコイン一時停止部へと押し出し可能に設けられている保持部押し出し手段とを備えているように構成することも可能である。
【００２３】
このようにすれば、１つのＩＣコインを保持可能な保持部のスペースがあるだけでよいので、例えばＩＣコイン保留回転盤など、複数のＩＣコインを保持するための機構が不要となり、より小型で安価なＩＣコイン処理装置を実現することができるようになる。
【００２４】
ここで、本発明に係るＩＣコイン処理装置は、ＩＣコイン受け入れ口からＩＣコインリーダーライター部へのコインの導入を規制する突出姿勢と、ＩＣコイン受け入れ口からＩＣコインリーダーライター部へＩＣコインを導入する退避姿勢との間で姿勢変更可能な受け入れ口ピンを備えていることが好ましい。
【００２５】
このようにすれば、通常は、受け入れ口ピンを退避姿勢にして、ＩＣコインを受け入れ可能な状態にするとともに、一旦ＩＣコインを受け入れた後は、受け入れ口ピンを突出姿勢にしてコインの導入を規制することにより、誤って余分のＩＣコインを受け入れてしまうことを防止することができるようになる。
【００２６】
本発明に係るＩＣコイン処理装置は、また、ＩＣコインリーダーライター部で読み取られたＩＣコインが不良ＩＣコインである場合に、この不良ＩＣコインを、一旦受け入れたＩＣコイン保留部からＩＣコインリジェクト口へ導くリジェクト路と、ＩＣコイン保留部からリジェクト路に不良ＩＣコインをリジェクトする退避姿勢と、ＩＣコイン保留部に不良ＩＣコインを留め置く突出姿勢との間で姿勢変更可能なリジェクト規制ピンとを備えていることが好ましい。
【００２７】
このようにすれば、ＩＣコインリーダーライター部で読み取られたＩＣコインが不良ＩＣコインである場合に、リジェクト規制ピンを退避姿勢にすることにより、一旦ＩＣコイン保留部に受け入れた不良ＩＣコインをリジェクト路に導いてＩＣコイン保留部からＩＣコイン排出口にリジェクトすることができるようになる。
【００２８】
また、本発明に係る遊技媒体貸出機は、ＩＣコインと交換に遊技媒体を貸し出す遊技媒体貸出機であって、請求項１ないし請求項５のいずれかに記載のＩＣコイン処理装置と、遊技媒体を払い出す遊技媒体払出部と、少なくともこれらＩＣコイン処理装置と、遊技媒体払出部とを制御する制御部と、この制御部の制御に係る情報を記憶する記憶部と、遊技媒体払出部が遊技媒体を１バッチ分だけ払い出すように要求する遊技媒体払い出し要求信号を制御部に対して発生させる遊技媒体払い出しボタンとを備え、上記制御部は、ＩＣコイン処理装置のＩＣコインリーダーライター部において読み込んだＩＣコインに記憶されたコインの価値に係る情報を、記憶部に記憶させるとともに、遊技媒体払い出しボタンにおける遊技媒体払い出し要求信号の発生に対応して、そのつど記憶部に記憶されたコインの価値に係る情報を確認し、このコインの価値の残高が遊技媒体の払い出しに足る間は、遊技媒体払い出しボタンにおいて遊技媒体払い出し要求信号が発生する度に、所定枚数の遊技媒体を遊技媒体払出部から払い出し、かつ記憶部に記憶されたコインの価値の残高を払い出した遊技媒体の価額に相当する分だけ減額するように制御するものであり、遊技の終了に際して、このコインの価値の残高の情報をＩＣコインリーダーライター部においてＩＣコインに書き込むとともに、このコインの価値の残高の情報が書き込まれたＩＣコインをＩＣコイン排出口に排出するものであることが好ましい。
【００２９】
このようにすれば、コインの価値の残高が遊技媒体の払い出しに足る間は、遊技媒体払い出しボタンにおいて遊技媒体払い出し要求信号が発生する度に、所定枚数の遊技媒体を遊技媒体払出部から払い出すように制御部が制御するので、この遊技媒体貸出機にＩＣコインを一度投入するだけで、残高が遊技媒体の払い出しに足らなくなるまで、必要なだけ遊技媒体の払い出しを受けることができる。
【００３０】
また、遊技の終了に際して、コインの価値について残高があった場合、ＩＣコインリーダーライター部が、この残高の情報をＩＣコインに書き込むとともに、この情報を書き込んだＩＣコインをＩＣコイン排出口に排出するので、いつでも遊技を終了して、残高の情報を書き込んだＩＣコインを受け取ることができる。また、この残高の情報を書き込んだＩＣコインを使用して再び遊技を行うことができるようになる。
【００３１】
また、本発明に係る遊技媒体貸出機は、遊技の終了に際して、コインの価値について残高がない場合、ＩＣコインを排出せずにＩＣコイン保留部に保留することが好ましい。
【００３２】
このようにすれば、遊技の終了に際して、コインの価値について残高がない場合は、ＩＣコインをＩＣコイン保留部に保留することにより、新たな遊技の開始としてコインの価値について残高がある新しいＩＣコインをＩＣコイン一時停止部に受け入れることができるようになる。
【００３３】
また、本発明に係る遊技媒体貸出機は、紙幣を受け入れる紙幣受け入れ口を有して受け入れた紙幣を識別可能な紙幣識別装置を備え、上記ＩＣコイン保留部は、コインの価値に係る情報を書き込み可能なＩＣコインをあらかじめ少なくとも１個保留可能であり、上記制御部は、紙幣識別装置における紙幣の受け入れに対応して、識別した紙幣の価値に係る情報を、記憶部に記憶するとともに、遊技媒体払い出しボタンにおける遊技媒体払い出し要求信号の発生に対応して、記憶部に記憶された価値に係る情報を確認するとともに、この価値の残高が遊技媒体の払い出しに足る間は、遊技媒体払い出しボタンにおいて遊技媒体払い出し要求信号が発生する度に、所定枚数の遊技媒体を遊技媒体払出部から払い出し、かつ記憶部に記憶された価値の残高を払い出した遊技媒体の価額に相当する分だけ減額するように制御するものであり、遊技の終了に際してＩＣコイン保留部に保留されたＩＣコインの１つをＩＣコインリーダーライター部に排出するとともに、記憶部に記憶された価値の残高の情報をＩＣコインに書き込んでＩＣコイン排出口に返却するものであることが好ましい。
【００３４】
このようにすれば、紙幣受け入れ口と、紙幣識別装置とを備えているので、紙幣を受け入れて、この紙幣と交換に遊技媒体を貸し出すことができるようになる結果、わざわざ別に設けられたＩＣコイン発行機まで利用者が移動する必要がない。
【００３５】
また、コインの価値の残高が遊技媒体の払い出しに足る間は、遊技媒体払い出しボタンにおいて遊技媒体払い出し要求信号が発生する度に、所定枚数の遊技媒体を遊技媒体払出部から払い出すように制御部が制御するので、紙幣を一度投入するだけで、残高が遊技媒体の払い出しに足らなくなるまで、必要なだけ遊技媒体の払い出しを受けることができる。
【００３６】
また、ＩＣコイン保留部が、情報を書き込み可能なＩＣコインをあらかじめ少なくとも１個保留可能であり、遊技の終了に際して、価値の残高の情報をＩＣコインに書き込んでＩＣコイン排出口に返却するので、いつでも遊技を終了して、価値の残高の情報が書き込まれたＩＣコインを受け取ることができる。また、この価値の残高の情報が書き込まれたＩＣコインを使用して再び遊技を行うことができるようになる。
【００３７】
本発明に係る遊技媒体貸出機は、また、遊技を終了してＩＣコインの返却を要求するＩＣコイン返却要求信号を発生させる精算ボタンを備え、上記制御部は、この精算ボタンにおけるコイン返却要求信号の発生に対応して、ＩＣコインリーダーライター部が、コインの価値に係る情報をＩＣコインに書き込むとともに、この情報が書き込まれたＩＣコインをＩＣコイン排出口から返却するように制御するものであることが好ましい。
【００３８】
このようにすれば、精算ボタンを押してＩＣコイン返却要求信号を発生させることにより、いつでも遊技を終了して残高に係る情報を書き込んだＩＣコインをＩＣコイン排出口から返却させることができるようになる。
【発明の効果】
【００３９】
以上説明したように、本発明によれば、受け入れたＩＣコインに対して情報を読み書きするのにＩＣコイン保留回転盤を回動させてＩＣコインをＩＣコインリーダーライター部に移動させる必要がないＩＣコイン処理装置および遊技媒体貸出機を実現することができる。
【発明を実施するための最良の形態】
【００４０】
以下、添付図面を参照しながら本発明の好ましい実施の一形態について詳述する。図１は、本発明の実施の形態に係る遊技媒体貸出機２０の構成を示す斜視図であり、図２は、遊技媒体貸出機２０の制御の構成を示すブロック図である。そして、図３は、遊技媒体貸出機２０に設けられるＩＣコイン処理装置１０の構成を示す斜視図であり、図４は、図３の背面図である。
【００４１】
図１に示すように、本発明の実施の形態に係る遊技媒体貸出機２０は、例えばゲームセンターのスロットマシンなどの遊技機に併設され、ＩＣタグ１ａ（図３）を担持してなるＩＣコイン１と交換に図略の遊技媒体を貸し出す直方体状の装置であり、ＩＣコイン１に情報を読み書き可能なＩＣコイン処理装置１０と、遊技媒体を払い出す遊技媒体払出部２１と、遊技媒体払出部２１が遊技媒体を１バッチ分だけ払い出すように要求する遊技媒体払い出しボタン２２と、遊技を終了してＩＣコイン１の返却を要求する精算ボタン２３と、紙幣を識別可能な紙幣識別装置３０とを備えている。
【００４２】
また、この遊技媒体貸出機２０は、図２に示すように、これら遊技媒体払い出しボタン２２の信号と、精算ボタン２３の信号とを受信するとともにＩＣコイン処理装置１０と、遊技媒体払出部２１と、紙幣識別装置３０とを制御する制御部２５と、この制御部２５の制御に係る情報を記憶する記憶部２６とを備えている。
【００４３】
上記ＩＣコイン処理装置１０は、図３に示すように、ＩＣコイン１を受け入れるＩＣコイン受け入れ口２と、受け入れたＩＣコイン１を一時保留可能なＩＣコイン保留部３と、ＩＣコイン１を排出するＩＣコイン排出口４とを備えている。
【００４４】
また、このＩＣコイン処理装置１０は、図５に示すように、ＩＣコイン保留部３の外方に位置するＩＣコイン一時停止部５を有しており、さらに、このＩＣコイン一時停止部５にＩＣコイン１を留め置く姿勢と、ＩＣコイン一時停止部５からＩＣコイン排出路４ａへＩＣコイン１の排出を許容する状態とに切り替え可能な排出規制手段６と、ＩＣコイン一時停止部５に留め置かれたＩＣコイン１に背面側から情報を読み書き可能なＩＣコインリーダーライター部７（図４）とを備えている。
【００４５】
また、このＩＣコイン処理装置１０は、突出姿勢と退避姿勢との間で姿勢変更可能な受け入れ口ピン８と、不良ＩＣコインをＩＣコインリジェクト口９ａへ導くリジェクト路９と、退避姿勢と突出姿勢との間で姿勢変更可能なリジェクト規制ピン１１とを備えている。
【００４６】
また、このＩＣコイン処理装置１０は、余剰のＩＣコイン１を図外のＩＣコイン回収部へ回収する回収通路１２（図４）を備えている。
【００４７】
上記ＩＣコイン１は、いわゆるＩＣタグ１ａをその構造中に担持してなるコイン状の媒体であり、このＩＣタグ１ａにコインの価値に係る情報を記録することが可能になっている。そして、遊技場において、貨幣の代用として図略の遊技媒体と交換することができる。本実施形態においては、このＩＣコイン１は、スロットマシンの遊技媒体である図略のメダルと交換され、このメダルを遊技媒体貸出機２０に隣接する図外の遊技機に投入することにより利用者はスロットマシンの遊技を行うことができるようになる。
【００４８】
上記ＩＣコイン受け入れ口２は、このＩＣコイン１をＩＣコイン処理装置１０に受け入れるためのスリット状の開口であり、外側のコイン投入口２４（図１）と通じている。また、このＩＣコイン受け入れ口２の内側には、ＩＣコイン受け入れ口２からＩＣコイン一時停止部５へのコインの導入を規制する突出姿勢と、ＩＣコイン受け入れ口２からＩＣコインリーダーライター部７へＩＣコイン１を導入する退避姿勢との間で姿勢変更可能な受け入れ口ピン８が設けられている。
【００４９】
上記ＩＣコイン保留部３は、残高がないＩＣコイン１を図外のＩＣコイン回収部へ回収する前に一時保留するためのものである。また、このＩＣコイン保留部３は、紙幣を受け入れた時の釣銭の代替品として、残高を書き込んだＩＣコイン１を利用者に返却するためにＩＣコイン１を少なくとも１個は、あらかじめ保留することができるようになっている。
【００５０】
このＩＣコイン保留部３は、ＩＣコイン処理装置１０の中に設けられた平らな静止版３ｈと、パルスモーターにより駆動され、回動軸３ａを中心として回動する静止板３ｈに平行に設けられた円盤部３ｂと、その周縁に沿って配列され、ＩＣコイン１を保持可能な複数の保持部３ｃと、この保持部３ｃの間の仕切り部３ｄとを有するＩＣコイン保留回転盤３ｅを備えている。そして、このＩＣコイン保留回転盤３ｅは、回動軸３ａを中心として回動することにより、保持部３ｃの間の仕切り部３ｄの外周側端部３ｆで、ＩＣコイン１の保持部３ｃへの導入を規制してＩＣコイン１をＩＣコイン一時停止部５に留め置く留め置き姿勢と、ＩＣコイン一時停止部５から保持部３ｃにＩＣコイン１を導入する導入姿勢との間で姿勢変更可能に設けられている。
【００５１】
また、このＩＣコイン保留回転盤３ｅは、紙幣識別装置３０（図１）に紙幣の受け入れがあった場合、遊技の終了に際して、回動軸３ａを中心として回動することにより、保持部３ｃに保持された釣銭の代替品としてのＩＣコイン１を、保持部３ｃの回動軌道上に設けられたガイドローラ３ｇ（図１０）に当接させて保持部３ｃからＩＣコイン一時停止部５へと押し出すことができるようになっている。
【００５２】
上記ＩＣコイン排出口４は、ＩＣコインリーダーライター部７で残高の情報が書き込まれたＩＣコイン１を利用者に返却するための開口である。また、このＩＣコイン排出口４は、コＩＣコイン保留部３からの釣銭の代替品としてのＩＣコイン１を利用者に返却するためにも用いられる。
【００５３】
上記ＩＣコイン一時停止部５は、ＩＣコイン受け入れ口２からこのＩＣコイン保留部３へのＩＣコイン導入路２ａと、ＩＣコイン保留部３からＩＣコイン排出口４へのＩＣコイン排出路４ａとに通じる位置に設けられた部分であり、ここでＩＣコイン１を一時留め置き、ＩＣコインリーダーライター部７で情報をＩＣコイン１に読み書きする。
【００５４】
上記排出規制手段６は、背面に設けられた電磁ソレノイドにより駆動され、ＩＣコイン１を留め置く突出姿勢と、ＩＣコイン排出路４ａへＩＣコイン１の排出を許容する退避状態とに切り替えることができるようになっており、排出規制手段６を退避状態にすることにより、ＩＣコイン１が重力で下方に設けられたＩＣコイン排出口４から排出されるようになっている。
【００５５】
上記ＩＣコインリーダーライター部７（図４）は、ＩＣコイン一時停止部５に臨む位置に設けられており、この位置で電磁気的な通信手段によりＩＣコイン１と非接触状態で通信を行うものである。このＩＣコインリーダーライター部７はＩＣコイン一時停止部５に留め置かれたＩＣコイン１にコインの価値の残高に係る情報を電磁気的に読み書きすることができるようになっている。
【００５６】
上記受け入れ口ピン８は、背面に設けられた電磁ソレノイドにより駆動され、ＩＣコイン受け入れ口２からＩＣコインリーダーライター部７へのコインの導入を規制する突出姿勢と、ＩＣコイン受け入れ口２からＩＣコインリーダーライター部７へＩＣコイン１を導入する退避姿勢との間で姿勢の変更ができるようになっている。
【００５７】
上記リジェクト路９は、ＩＣコイン受け入れ口２から受け入れられ、ＩＣコインリーダーライター部７で読み取られたＩＣコイン１が不良ＩＣコインである場合に、不良ＩＣコイン１ｂ（図９）を、一旦受け入れたＩＣコイン保留部３からＩＣコインリジェクト口９ａへ導くものである。
【００５８】
そして、このＩＣコインリジェクト口９ａとＩＣコイン排出口４とは、両方とも外側に設けられ、上方に開口したコイン返却皿２５（図１）に通じている。
【００５９】
上記リジェクト規制ピン１１は、背面に設けられた電磁ソレノイドにより駆動され、ＩＣコイン保留部３からリジェクト路９に不良ＩＣコイン１ｂをリジェクトする退避姿勢と、ＩＣコイン保留部３に不良ＩＣコイン１ｂを留め置く突出姿勢との間で姿勢を変更することができるようになっている。
【００６０】
上記回収通路１２（図４）は、ＩＣコイン保留部３の頂部の背面に設けられた通路であり、ＩＣコイン保留部３が満杯になった状態に対応して、余剰のＩＣコイン１をオーバーフローさせ、図外のＩＣコイン回収部へ回収するように構成されている。そして、この図外のＩＣコイン回収部では、溢れるＩＣコイン１を多数、貯留することができるようになっている。
【００６１】
再び、図１を参照して、上記遊技媒体払出部２１は、ＩＣコイン１もしくは紙幣の受け入れに基づいて、遊技媒体を利用者に供給するための供給装置である。本実施形態では、遊技媒体払出部２１は、図外の遊技媒体貯留部から遊技媒体を受け入れるとともに、ノズルシュート２１ａから払い出すように構成されている。
【００６２】
上記遊技媒体払い出しボタン２２は、遊技媒体払出部２１が遊技媒体を払い出すように要求する遊技媒体払い出し要求信号を制御部２５に対して発生させるものであり、ＩＣコイン１もしくは紙幣の受け入れの後、この遊技媒体払い出しボタン２２が押されて遊技媒体払い出し要求信号を発生させると、遊技媒体払出部２１が所定の１バッチ分だけ遊技媒体を払い出すようになっている。
【００６３】
上記精算ボタン２３は、遊技を終了してＩＣコイン１の返却を要求するＩＣコイン返却要求信号を発生させるものである。
【００６４】
上記紙幣識別装置３０は、紙幣の真偽と金種判定を光学センサーや磁気センサー等の識別センサーからの情報によって識別することができるように構成された装置であり、紙幣を受け入れるためのスリット状の開口である紙幣受け入れ口３１を有している。
【００６５】
上記制御部２５は、ＩＣコイン処理装置１０と、遊技媒体払出部２１と、紙幣識別装置３０とを制御する論理演算回路であり、本実施形態では、ホストコンピュータで構成されている。また、上記記憶部２６は、制御部２５の制御に係る情報を記憶するものであり、ホストコンピュータに付属する記憶装置で構成されている。
【００６６】
この制御部２５は、ＩＣコインリーダーライター部７において読み込んだＩＣコイン１に記憶されたコインの価値に係る情報を、記憶部２６に記憶させるとともに、遊技媒体払い出しボタン２２における遊技媒体払い出し要求信号の発生に対応して、そのつど記憶部２６に記憶されたコインの価値に係る情報を確認する。そして、このコインの価値の残高が遊技媒体の払い出しに足る間は、遊技媒体払い出し要求信号が発生する度に、所定枚数の遊技媒体を遊技媒体払出部２１から払い出す。また、払い出した遊技媒体の価額に相当する分だけ記憶部２６に記憶されたコインの価値の残高を減額するようにＩＣコイン処理装置１０を制御する。
【００６７】
そして、遊技の終了に際して、利用者によって精算ボタン２３が押され、コイン返却要求信号が発生したならば、これに対応して、ＩＣコインリーダーライター部７が、コインの価値の残高に係る情報をＩＣコイン１に書き込むとともに、この価値の残高の情報が書き込まれたＩＣコイン１をＩＣコイン排出口４から排出して利用者に返却するように制御する。
【００６８】
また、この制御部２５は、紙幣識別装置３０において紙幣が受け入れられた場合は、これに対応して、識別した紙幣の価値に係る情報を、記憶部２６に記憶する。また、遊技媒体払い出しボタン２２における遊技媒体払い出し要求信号の発生に対応して、記憶部２６に記憶された価値に係る情報を確認し、この価値の残高が遊技媒体の払い出しに足る間は、ＩＣコイン１が受け入れられた場合と同様に、遊技媒体払い出しボタン２２において遊技媒体払い出し要求信号が発生する度に、所定枚数の遊技媒体を遊技媒体払出部２１から払い出す。そして、記憶部２６に記憶された価値の残高を払い出した遊技媒体の価額に相当する分だけ減額する。
【００６９】
また、この制御部２５は、紙幣が受け入れられた場合、利用者によって精算ボタン２３が押され、コイン返却要求信号が発生したならば、これに対応して、ＩＣコイン保留部３に保留されたＩＣコイン１の１つをＩＣコインリーダーライター部７に排出する。そして、記憶部２６に記憶された価値の残高の情報をＩＣコイン１に書き込むとともに、この価値の残高の情報が書き込まれたＩＣコイン１をＩＣコイン排出口４から排出して利用者に返却するように遊技媒体貸出機２０を制御する。
【００７０】
次に図３と、図５〜図１０とを参照して、本発明の実施の形態に係る遊技媒体貸出機２０とＩＣコイン処理装置１０の作用について説明する。
【００７１】
図３を参照して、まず最初、ＩＣコイン保留回転盤３ｅは、ＩＣコイン１を釣銭用として少なくとも１個はＩＣコイン処理装置１０内にあらかじめ保留している。また、このＩＣコイン保留回転盤３ｅは、保持部３ｃの間の仕切り部３ｄの外周側端部３ｆで、ＩＣコイン１の保持部３ｃへの導入を規制してＩＣコイン１をＩＣコイン一時停止部５に留め置く留め置き姿勢になっている。
【００７２】
また、排出規制手段６は、ＩＣコイン一時停止部５にＩＣコイン１を留め置く突出姿勢の状態にある。
【００７３】
そして、受け入れ口ピン８は、退避姿勢になっており、この状態で図示のように、ＩＣコイン受け入れ口２からＩＣコイン１が導入される。
【００７４】
ここで、図５は、ＩＣコイン受け入れ口２から受け入れられたＩＣコイン１がＩＣコイン一時停止部５に留め置かれている状態を示す説明図である。この状態では、図３の状態に引き続き、ＩＣコイン保留回転盤３ｅは、留め置き姿勢に、また、排出規制手段６は、突出姿勢の状態にあるが、受け入れ口ピン８は、新たなＩＣコインの受け入れを防止するために、コインの導入を規制する突出姿勢に姿勢変更されている。
【００７５】
そして、この状態で、ＩＣコインリーダーライター部７（図４）が、ＩＣコイン１のＩＣタグ１ａに記憶されたコインの価値に係る情報を電磁気的に読み込む。また、このコインの価値に係る情報が、記憶部２６に記憶される。
【００７６】
なお、この図５の状態で遊技媒体払い出しボタン２２において遊技媒体払い出し要求信号が発生すると、そのつど記憶部２６に記憶されたコインの価値に係る情報が確認され、この残高が遊技媒体の払い出しに足る間は、所定枚数の遊技媒体が遊技媒体払出部２１から払い出される。そして、記憶部２６に記憶されたコインの価値の残高は、払い出した遊技媒体の価額に相当する分だけ減額されていく。
【００７７】
ここで、遊技の終了に際して、利用者によって精算ボタン２３（図１）が押され、コイン返却要求信号が発生したならば、これに対応して、ＩＣコインリーダーライター部７が、コインの価値の残高に係る情報をＩＣコイン１に書き込み、図６に示すように、価値の残高の情報が書き込まれたＩＣコイン１が重力で下方に設けられたＩＣコイン排出口４から排出されて、利用者に返却される。図６は、排出規制手段６が、ＩＣコイン１の排出を許容する退避状態に切り替わり、ＩＣコイン１をＩＣコイン排出口４から排出して利用者に返却する状態を示す説明図である。
【００７８】
なお、図５に示したＩＣコイン１の留め置きの段階で、コインの価値の残高がもし０以下になったならば、ＩＣコイン保留部３が、回動軸３ａを中心として回動してＩＣコイン導入の姿勢をとり、ＩＣコイン一時停止部５から保持部３ｃにＩＣコイン１を回収する。図７は、ＩＣコイン１が、ＩＣコイン一時停止部５から保持部３ｃに回収される状態を示す説明図である。
【００７９】
この時、ＩＣコイン保留部３が満杯になった場合は、図８に示すように、ＩＣコイン保留部３の頂部の背面に設けられた回収通路１２を介して余剰のＩＣコイン１を図外のＩＣコイン回収部へ回収し、貯留する。図８は、ＩＣコイン保留部３が満杯になった状態に対応して、余剰のＩＣコイン１をオーバーフローさせた状態を示す説明図である。
【００８０】
ところで、本実施形態では、ＩＣコイン１が不良ＩＣコインである場合にも、ＩＣコイン保留部３が、図７に示したようなＩＣコイン導入姿勢をとり、ＩＣコイン一時停止部５から保持部３ｃにＩＣコイン１を一旦回収する。
【００８１】
そして、一旦回収したＩＣコイン１を、図９に示すように、リジェクト路９へ導く。図９は、ＩＣコイン保留部３からリジェクト路９に不良ＩＣコイン１ｂをリジェクトしている状態を示す説明図であり、リジェクト規制ピン１１が、ＩＣコイン保留部３に不良ＩＣコイン１ｂを留め置く突出姿勢から姿勢を変更し、このように、不良ＩＣコイン１ｂをＩＣコイン保留部３からリジェクト路９にリジェクトする。
【００８２】
次に、紙幣識別装置３０において紙幣受け入れ口３１から遊技媒体貸出機２０に紙幣が受け入れられた場合について説明する。
【００８３】
この場合は、紙幣識別装置３０がイメージスキャニングなどの画像処理により受け入れた紙幣の価額を識別する。
【００８４】
そして、これに対応して、識別した紙幣の価値に係る情報が、記憶部２６に記憶される。
【００８５】
また、この状態で、遊技媒体払い出しボタン２２における遊技媒体払い出し要求信号が発生したら、記憶部２６に記憶された価値に係る情報を確認し、この価値の残高が遊技媒体の払い出しに足る間は、ＩＣコイン１が受け入れられた場合と同様に、遊技媒体払い出し要求信号が発生する度に、所定枚数の遊技媒体を遊技媒体払出部２１から払い出す。
【００８６】
そして、記憶部２６に記憶された価値の残高を払い出した遊技媒体の価額に相当する分だけ減額する。
【００８７】
また、紙幣が受け入れられた場合であっても、遊技の終了に際して、利用者によって精算ボタン２３が押され、コイン返却要求信号が発生したならば、これに対応して、ＩＣコイン保留部３に保留されたＩＣコイン１の１つを図１０に示すように、ＩＣコイン一時停止部５に排出し、残高の情報を書き込んでＩＣコイン排出口４から利用者に返却する。
【００８８】
図１０は、ＩＣコイン保留回転盤３ｅが、保持部３ｃに保持されたＩＣコイン１を保持部３ｃの回動軌道上に設けられたガイドローラ３ｇに当接させて保持部３ｃからＩＣコイン一時停止部５へと押し出している状態を示す説明図である。この状態でＩＣコイン一時停止部５に留め置かれたＩＣコイン１に、コインの価値の残高に係る情報が書き込まれ、この残高の情報が書き込まれたＩＣコイン１は、図６のようにＩＣコイン排出口４から利用者に返却される。
【００８９】
このように、遊技媒体貸出機２０によりＩＣコイン１または紙幣が、貨幣の代用として遊技媒体であるメダルと交換される。そして、このメダルを遊技媒体貸出機２０に隣接する図略の遊技機に投入することにより利用者はスロットマシンなどの遊技を行うことができるようになる。
【００９０】
以上説明したように、本発明の実施の形態に係る遊技媒体貸出機２０によれば、ＩＣコイン保留回転盤３ｅの外方に位置するＩＣコイン一時停止部５に臨む位置にＩＣコインリーダーライター部７が設けられているので、受け入れたＩＣコイン１の情報を読み込むのにも、返却するＩＣコイン１に対して情報を書き込むのにも、従来技術のようにＩＣコイン保留回転盤３ｅを回動させてＩＣコイン１をＩＣコインリーダーライター部７に移動させる必要がない。その結果、ＩＣコイン保留回転盤３ｅを回動させることなく、ＩＣコイン１の受け入れと、ＩＣコイン１に対する情報の読み書きと、ＩＣコイン１の返却とを行うことができる。
【００９１】
また、ＩＣコイン保留回転盤３ｅに保留されるＩＣコイン１は、すべて同じように情報の書き込み前のＩＣコイン１として区別することなく扱うことができる。
【００９２】
また、この遊技媒体貸出機２０によれば、保持部３ｃの間の仕切り部３ｄの外周側端部３ｆでＩＣコイン１の保持部３ｃへの導入を規制するという簡単な構成でＩＣコイン１をＩＣコイン一時停止部５に留め置くことができるだけでなく、この留め置き姿勢からＩＣコイン保留回転盤３ｅが回動して導入姿勢に変位するという簡単な構成で、ＩＣコイン一時停止部５から保持部３ｃにＩＣコイン１を導入することができる。
【００９３】
また、保持部３ｃに保持されているＩＣコイン１は、ＩＣコイン保留回転盤３ｅが回動して、ＩＣコイン保留回転盤３ｅの回動軌道上に設けられたガイドローラ３ｇに当接させるという簡単な構成でＩＣコイン一時停止部５へ押し出すことできる。
【００９４】
このように、特に複雑な機構を追加しなくとも簡単な構成でＩＣコイン１の導入と排出とを行うことができるので、安価なＩＣコイン処理装置１０を実現することができる。
【００９５】
また、この遊技媒体貸出機２０によれば、通常は、受け入れ口ピン８を退避姿勢にして、ＩＣコイン１を受け入れ可能な状態にするとともに、一旦ＩＣコイン１を受け入れた後は、受け入れ口ピン８を突出姿勢にしてコインの導入を規制することにより、誤って余分のＩＣコイン１を受け入れてしまうことを防止することができるようになる。
【００９６】
また、ＩＣコインリーダーライター部７で読み取られたＩＣコイン１が不良ＩＣコイン１ｂである場合に、リジェクト規制ピン１１を退避姿勢にすることにより、一旦ＩＣコイン保留部３に受け入れたこの不良ＩＣコイン１ｂをリジェクト路９に導いてリジェクトすることができるようになる。
【００９７】
また、コインの価値の残高が遊技媒体の払い出しに足る間は、遊技媒体払い出しボタン２２において遊技媒体払い出し要求信号が発生する度に、所定枚数の遊技媒体を遊技媒体払出部２１から払い出すように制御部２５が制御するので、この遊技媒体貸出機２０にＩＣコイン１を一度投入するだけで、残高が遊技媒体の払い出しに足らなくなるまで、必要なだけ遊技媒体の払い出しを受けることができる。
【００９８】
また、遊技の終了に際して、コインの価値について残高があった場合、ＩＣコインリーダーライター部７が、この残高の情報をＩＣコイン１に書き込むとともに、この情報を書き込んだＩＣコイン１をＩＣコイン排出口４に排出するので、いつでも遊技を終了して、残高の情報を書き込んだＩＣコイン１を受け取ることができる。また、この残高の情報を書き込んだＩＣコイン１を使用して再び遊技を行うことができるようになる。
【００９９】
また、この遊技媒体貸出機２０によれば、ＩＣコイン保留部３が満杯になっても、余剰のＩＣコイン１を回収通路１２を介してＩＣコイン回収部へ回収するので、ＩＣコイン１を受け入れることが不能な状態に陥ることがない。
【０１００】
また、この遊技媒体貸出機２０によれば、紙幣受け入れ口３１と、紙幣識別装置３０とを備えているので、紙幣を受け入れて、この紙幣と交換に遊技媒体を貸し出すことができるようになる結果、わざわざ別に設けられたＩＣコイン発行機まで利用者が移動する必要がない。
【０１０１】
また、コインの価値の残高が遊技媒体の払い出しに足る間は、遊技媒体払い出しボタン２２において遊技媒体払い出し要求信号が発生する度に、所定枚数の遊技媒体を遊技媒体払出部２１から払い出すように制御部２５が制御するので、紙幣を一度投入するだけで、残高が遊技媒体の払い出しに足らなくなるまで、必要なだけ遊技媒体の払い出しを受けることができる。
【０１０２】
また、この遊技媒体貸出機２０によれば、精算ボタン２３を押してＩＣコイン返却要求信号を発生させることにより、いつでも遊技を終了して残高に係る情報を書き込んだＩＣコイン１をＩＣコイン排出口４から返却することができるようになる。
【０１０３】
次に、図１１〜図２１を参照しながら本発明に係るＩＣコイン処理装置の変形例について詳述する。図１１は、変形例に係るＩＣコイン処理装置４０の構成を示す正面図であり、図１２は、図１１を右側から見た側面図であり、図１３は、図１１の背面図である。また、図１４は、中間仕切り板４４に設けられた挿通孔４４ａと移送ガイド爪４８ａ、４８ｂとの構成を示す断面図である。なお、ＩＣコイン処理装置１０と同様の構成については同じ符号を付し、説明の重複を避けるものとする。
【０１０４】
図１１〜図１４に示すように、変形例に係るＩＣコイン処理装置４０においては、ＩＣコイン保留部４３は、ＩＣコイン処理装置４０の中に静止して設けられた平らな中間仕切り板４４と、この中間仕切り板４４に平行に設けられた第1のＩＣコイン保留回転盤４５と、中間仕切り板４４を挟んで第1のＩＣコイン保留回転盤４５と反対側の中間仕切り板４４の面に平行に設けられた第２のＩＣコイン保留回転盤４６（図１２、図１３）とを備えている。そして、第1のＩＣコイン保留回転盤４５と第２のＩＣコイン保留回転盤４６とは、共通の回動軸４５ａを介して相互に連結され、モーター４７に接続されたプーリー４７ａによって駆動されて回動する。
【０１０５】
上記中間仕切り板４４は、ＩＣコイン処理装置４０の中に静止して設けられ、一方の面から他方の面にＩＣコインを挿通可能な略扇形の挿通孔４４ａを有する。
【０１０６】
上記第1のＩＣコイン保留回転盤４５は、回動軸４５ａを中心として回動する円盤部４５ｂ、その周縁に沿って配列され、ＩＣコインを保持可能な複数の保持部４５ｃおよび、この保持部４５ｃの間の仕切り部４５ｄを有し、かつ中間仕切り板４４との間にＩＣコイン１を保留する。
【０１０７】
そして、この第1のＩＣコイン保留回転盤４５は、その回動軸４５ａを中心として回動することにより、保持部４５ｃの間の仕切り部４５ｄの外周側端部で、ＩＣコイン１の保持部４５ｃへの導入を規制してＩＣコイン１をＩＣコイン一時停止部５に留め置く留め置き姿勢と、ＩＣコイン一時停止部５から保持部４５ｃにＩＣコイン１を導入する導入姿勢との間で姿勢変更可能になっている。
【０１０８】
また、回動軸４５ａを中心として一方（図１１において矢印と反対の方向）に回動することにより、保持部４５ｃに保持されたＩＣコイン１を保持部４５ｃの回動軌道上に設けられたガイドローラ３ｇに当接させて保持部４５ｃからＩＣコイン一時停止部５へと押し出すことができるようになっている。
【０１０９】
さらに、回動軸４５ａを中心として他方（図１１において矢印の方向）に回動することにより、保持部４５ｃに保持されたＩＣコイン１を中間仕切り板４４の挿通孔４４ａに設けられた一対の移送ガイド爪４８ａ、４８ｂの一方４８ａに当接させて第1のＩＣコイン保留回転盤４５の保持部４５ｃから第２のＩＣコイン保留回転盤４６の保持部４６ｃへとＩＣコイン１を移送することができるようになっている。
【０１１０】
ここで、一対の移送ガイド爪４８ａ、４８ｂは、図１４に示すように、中間仕切り板４４の挿通孔４４ａの両側に対向するようにして、かつそれぞれ中間仕切り板４４に対して斜めに設けられたＩＣコイン１の案内部材であり、それぞれ、第１、第２のＩＣコイン保留回転盤４５、４６に離散的に設けられた仕切り部４５ｄ、４６ｄと干渉しないように、フォークの爪状になっており、第１、第２のＩＣコイン保留回転盤４５、４６の回動を妨げないようになっている。
【０１１１】
上記第２のＩＣコイン保留回転盤４６は、図１３に示すように、回動軸４５ａを中心として回動する円盤部４６ｂ、その周縁に沿って配列され、中間仕切り板４４を通して第1のＩＣコイン保留回転盤４５（図１１）から供給されたＩＣコイン１を保持可能な複数の保持部４６ｃおよび、この保持部４６ｃの間の仕切り部４６ｄを有し、中間仕切り板４４との間にＩＣコイン１を挟んで保留するように構成されている。
【０１１２】
この第２のＩＣコイン保留回転盤４６は、その回動軸４５ａを中心として一方（図１３において矢印の方向）に回動することにより、第1のＩＣコイン保留回転盤４５の保持部４５ｃから第２のＩＣコイン保留回転盤４６の各保持部４６ｃへと移送されるＩＣコイン１を順次受け入れ可能に設けられており、かつ回動軸４５ａを中心として他方（図１３において矢印と反対の方向）に回動することにより、その保持部４６ｃに保持されたＩＣコイン１を中間仕切り板４４の挿通孔４４ａに設けられた一対の移送ガイド爪４８ａ、４８ｂの他方４８ｂに当接させて第２のＩＣコイン保留回転盤４６の保持部４６ｃから第1のＩＣコイン保留回転盤４５の保持部４５ｃへとＩＣコイン１を移送することができるようになっている。
【０１１３】
また、このＩＣコイン処理装置４０は、上記ＩＣコイン保留部４３が満杯になった状態に対応して、余剰のＩＣコイン１をＩＣコイン保留部４３から多数のＩＣコイン１を回収可能な図略のＩＣコイン回収部へ回収する回収通路４９を備えている。
【０１１４】
ここで、図１５〜図２２を参照して、変形例に係るＩＣコイン処理装置４０の作用について順番に説明する。図１５〜図２２は、ＩＣコイン１の受け入れから回収通路４９への放出までの一連の状態を示す説明図であり、（ａ）は、ＩＣコイン処理装置４０を第1のＩＣコイン保留回転盤４５から見た正面図、（ｂ）は、ＩＣコイン処理装置４０を第２のＩＣコイン保留回転盤４６から見た背面図をそれぞれ示している。
【０１１５】
図１５は、第1のＩＣコイン保留回転盤４５がＮｏ．１〜３のＩＣコイン１を保留し、ＩＣコイン一時停止部５がＮｏ．４のＩＣコイン１を留め置いた状態を示している。また、第２のＩＣコイン保留回転盤４６はＩＣコイン１を保留しない空の状態になっている。
【０１１６】
次に図１６は、図１５の状態から図中の矢印の方向にＩＣコイン保留回転盤４５、４６が回動し、移送ガイド爪４８ａが、Ｎｏ．１のＩＣコイン１を第1のＩＣコイン保留回転盤４５から第２のＩＣコイン保留回転盤４６へと案内している状態を示している。また、第1のＩＣコイン保留回転盤４５がＮｏ．２〜４のＩＣコイン１を保留した状態になっている。
【０１１７】
図１７は、図１６の状態から図中の矢印の方向にＩＣコイン保留回転盤４５、４６が回動し、第1のＩＣコイン保留回転盤４５がＮｏ．２〜４のＩＣコイン１を保留し、ＩＣコイン一時停止部５がＮｏ．５のＩＣコイン１を留め置いた状態を示している。また、第２のＩＣコイン保留回転盤４６がＮｏ．１のＩＣコイン１を保留した状態になっている。
【０１１８】
図１８は、図１７の状態から図中の矢印の方向にＩＣコイン保留回転盤４５、４６が回動し、移送ガイド爪４８ａが、Ｎｏ．２のＩＣコイン１をＮｏ．１のＩＣコイン１を第1のＩＣコイン保留回転盤４５から第２のＩＣコイン保留回転盤４６へと案内している状態を示している。また、第1のＩＣコイン保留回転盤４５がＮｏ．３〜５のＩＣコイン１を保留し、第２のＩＣコイン保留回転盤４６がＮｏ．１のＩＣコイン１を保留した状態になっている。
【０１１９】
図１９は、図１８の状態から図中の矢印の方向にＩＣコイン保留回転盤４５、４６が回動し、第1のＩＣコイン保留回転盤４５がＮｏ．３〜５のＩＣコイン１を保留し、ＩＣコイン一時停止部５がＮｏ．６のＩＣコイン１を留め置いた状態を示している。また、第２のＩＣコイン保留回転盤４６がＮｏ．１〜２のＩＣコイン１を保留した状態になっている。
【０１２０】
図２０は、図１９の状態から図中の矢印の方向にＩＣコイン保留回転盤４５、４６が回動し、移送ガイド爪４８ａがＮｏ．３のＩＣコイン１をＮｏ．１のＩＣコイン１を第1のＩＣコイン保留回転盤４５から第２のＩＣコイン保留回転盤４６へと案内している状態を示している。また、第1のＩＣコイン保留回転盤４５がＮｏ．４〜６のＩＣコイン１を保留し、第２のＩＣコイン保留回転盤４６がＮｏ．１〜２のＩＣコイン１を保留した状態になっている。
【０１２１】
図２１は、図２０の状態から図中の矢印の方向にＩＣコイン保留回転盤４５、４６が回動し、第1のＩＣコイン保留回転盤４５がＮｏ．４〜６のＩＣコイン１を保留し、ＩＣコイン一時停止部５がＮｏ．７のＩＣコイン１を留め置いた状態を示している。また、第２のＩＣコイン保留回転盤４６がＮｏ．１〜３のＩＣコイン１を保留した状態になっている。
【０１２２】
図２２は、図２１の状態から図中の矢印の方向にＩＣコイン保留回転盤４５、４６が回動し、移送ガイド爪４８ａがＮｏ．４のＩＣコイン１を第1のＩＣコイン保留回転盤４５から第２のＩＣコイン保留回転盤４６へと案内している状態を示している。また、第1のＩＣコイン保留回転盤４５がＮｏ．５〜７のＩＣコイン１を保留し、第２のＩＣコイン保留回転盤４６がＮｏ．２〜３のＩＣコイン１を保留した状態になっている。また、Ｎｏ．１のＩＣコイン１は、ＩＣコイン保留部４３が満杯になった状態に対応して、余剰のＩＣコインとしてＩＣコイン回収部へ回収する回収通路４９に放出されている。
【０１２３】
このように、ＩＣコイン１の受け入れから回収通路４９への放出までの一連の状態は、図１５から図２１まで順に辿ることにより理解することができる。この時、第1のＩＣコイン保留回転盤４５と第２のＩＣコイン保留回転盤４６とは、図中の矢印の方向に回動し、一方の移送ガイド爪４８ａがＩＣコイン１を第1のＩＣコイン保留回転盤４５から第２のＩＣコイン保留回転盤４６へと案内する。
【０１２４】
なお、ＩＣコイン１の排出に係る一連の状態は、図２０から図１５まで逆に辿ることにより理解することができる。この時、第1のＩＣコイン保留回転盤４５と第２のＩＣコイン保留回転盤４６とは、図中の矢印と反対の方向に回動し、他方の移送ガイド爪４８ｂがＩＣコイン１を第２のＩＣコイン保留回転盤４６から第1のＩＣコイン保留回転盤４５へと案内する。
【０１２５】
以上説明したように、変形例に係るＩＣコイン処理装置４０によれば、第1のＩＣコイン保留回転盤４５と第２のＩＣコイン保留回転盤４６が回動することにより、ＩＣコイン１が第1のＩＣコイン保留回転盤４５の保持部４５ｃから中間仕切り板４４の挿通孔４４ａを通して第２のＩＣコイン保留回転盤４６の各保持部４６ｃへと順次移送されるので、同じ数量のＩＣコイン保留量であってもＩＣコイン保留回転盤４５、４６の径を小さく設計することが可能になる結果、奥行きの狭いスペースにも配置することができるＩＣコイン処理装置４０を実現することが可能になる。
【０１２６】
また、このような構成により、ＩＣコイン保留部４３が満杯になっても、余剰のＩＣコイン１を回収通路４９を介して図略のＩＣコイン回収部へ回収するので、ＩＣコイン１を受け入れることが不能な状態に陥ることがない。
【０１２７】
上述した実施の形態は本発明の好ましい具体例を例示したものに過ぎず、本発明は上述した実施の形態に限定されない。
【０１２８】
例えば、本発明の実施の形態に係る遊技媒体貸出機２０は、スロットマシンなどの遊技機に併設されるものに限らない。パチンコ、その他ゲームセンターの遊技機に併設することが可能である。
【０１２９】
また、ＩＣコイン処理装置１０、４０は、遊技の終了に際して、コインの価値について残高がない場合、本実施形態では、ＩＣコイン１を排出せずにＩＣコイン保留部３に保留するように構成されているが、必ずしもこのような構成に限定されず、コインの価値について残高がない場合でも、残高０のＩＣコイン１を返却するように構成してもよい。
【０１３０】
また、本実施形態においては、ＩＣコイン１は、遊技媒体としてのメダルと交換されるようになっているが、遊技媒体の構成は本発明を限定するものではなく、ボール、チップ、その他どのような遊技媒体も採用可能である。
【０１３１】
本実施形態においては、ＩＣコイン保留部３、４３は、釣銭の代替品として残高の情報を書き込み可能なＩＣコイン１をＩＣコイン処理装置１０内にあらかじめ保留することができるようになっているが、紙幣を受け入れた場合、ＩＣコイン１の代わりに現金で釣銭を返却するように構成することも可能である。
【０１３２】
また、本実施形態においては、紙幣の真偽と金種判定を光学センサーや磁気センサー等の識別センサーからの情報によって識別することができる紙幣識別装置３０を備えているが、紙幣識別装置３０は必ずしも必須でなく、ＩＣコイン１だけを受け入れるように構成してもよい。
【０１３３】
また、ＩＣコイン処理装置１０、４０においては、ＩＣコイン保留部３、４３は、ＩＣコイン保留回転盤３ｅ、４５、４６を備えていたが、このＩＣコイン保留回転盤３ｅ、４５、４６を省略してさらに小型化を図ることもできる。
【０１３４】
すなわち、図示しないが、ＩＣコイン保留部は、１つのＩＣコインを保持可能な保持部と、このＩＣコイン１の保持部への導入を規制してＩＣコイン１をＩＣコイン一時停止部に留め置く留め置き姿勢と、ＩＣコイン一時停止部から保持部にＩＣコインを導入する導入姿勢との間で姿勢変更可能な保持部受け入れ手段と、保持部に保持されたＩＣコインを保持部からＩＣコイン一時停止部へと押し出し可能に設けられている保持部押し出し手段とを備えているように構成することも可能である。
【０１３５】
このようにすれば、１つのＩＣコイン１を保持可能な保持部のスペースがあるだけでよいので、ＩＣコイン保留回転盤３ｅ、４５、４６など、複数のＩＣコイン１を保持するための機構が不要となり、より小型で安価なＩＣコイン処理装置を実現することができるようになる。
【０１３６】
その他、本発明の特許請求の範囲内で種々の設計変更が可能であることはいうまでもない。
【図面の簡単な説明】
【０１３７】
【図１】本発明の実施の形態に係る遊技媒体貸出機の構成を示す斜視図である。
【図２】遊技媒体貸出機の制御の構成を示すブロック図である。
【図３】遊技媒体貸出機に設けられるＩＣコイン処理装置の構成を示す斜視図である。
【図４】図３の背面図である。
【図５】ＩＣコイン受け入れ口から受け入れられたＩＣコインがＩＣコイン一時停止部に留め置かれている状態を示す説明図である。
【図６】排出規制手段が、ＩＣコインの排出を許容する退避状態に切り替わり、ＩＣコインをＩＣコイン排出口から排出して利用者に返却する状態を示す説明図である。
【図７】ＩＣコインが、ＩＣコイン一時停止部から保持部に回収される状態を示す説明図である。
【図８】ＩＣコイン保留部が満杯になった状態に対応して、余剰のＩＣコインをオーバーフローさせた状態を示す説明図である。
【図９】ＩＣコイン保留部からリジェクト路に不良ＩＣコインをリジェクトしている状態を示す説明図である。
【図１０】保持部に保持されたＩＣコインを保持部の回動軌道上に設けられたガイドローラに当接させて保持部からＩＣコイン一時停止部へと押し出している状態を示す説明図である。
【図１１】変形例に係るＩＣコイン処理装置の構成を示す正面図である。
【図１２】図１１を右側から見た側面図である。
【図１３】図１１の背面図である。
【図１４】中間仕切り板に設けられた挿通孔と移送ガイド爪との構成を示す断面図である。
【図１５】第1のＩＣコイン保留回転盤がＮｏ．１〜３のＩＣコインを保留し、ＩＣコイン一時停止部がＮｏ．４のＩＣコインを留め置いた状態を示す説明図である。
【図１６】図１５の状態から図中の矢印の方向にＩＣコイン保留回転盤が回動し、移送ガイド爪が、Ｎｏ．１のＩＣコインを第1のＩＣコイン保留回転盤から第２のＩＣコイン保留回転盤へと案内している状態を示す説明図である。
【図１７】図１６の状態から図中の矢印の方向にＩＣコイン保留回転盤が回動し、第1のＩＣコイン保留回転盤がＮｏ．２〜４のＩＣコインを保留し、ＩＣコイン一時停止部がＮｏ．５のＩＣコインを留め置いた状態を示す説明図である。
【図１８】図１７の状態から図中の矢印の方向にＩＣコイン保留回転盤が回動し、移送ガイド爪が、Ｎｏ．２のＩＣコインをＮｏ．１のＩＣコインを第1のＩＣコイン保留回転盤から第２のＩＣコイン保留回転盤へと案内している状態を示す説明図である。
【図１９】図１８の状態から図中の矢印の方向にＩＣコイン保留回転盤が回動し、第1のＩＣコイン保留回転盤がＮｏ．３〜５のＩＣコインを保留し、ＩＣコイン一時停止部がＮｏ．６のＩＣコインを留め置いた状態を示す説明図である。
【図２０】図１９の状態から図中の矢印の方向にＩＣコイン保留回転盤が回動し、移送ガイド爪がＮｏ．３のＩＣコインをＮｏ．１のＩＣコインを第1のＩＣコイン保留回転盤から第２のＩＣコイン保留回転盤へと案内している状態を示す説明図である。
【図２１】図２０の状態から図中の矢印の方向にＩＣコイン保留回転盤が回動し、第1のＩＣコイン保留回転盤がＮｏ．４〜６のＩＣコインを保留し、ＩＣコイン一時停止部がＮｏ．７のＩＣコインを留め置いた状態を示す説明図である。
【図２２】図２１の状態から図中の矢印の方向にＩＣコイン保留回転盤が回動し、移送ガイド爪がＮｏ．４のＩＣコインを第1のＩＣコイン保留回転盤から第２のＩＣコイン保留回転盤へと案内している状態を示す説明図である。
【符号の説明】
【０１３８】
１      ＩＣコイン
１ｂ    不良ＩＣコイン
２      ＩＣコイン受け入れ口
２ａ    ＩＣコイン導入路
３      ＩＣコイン保留部
３ａ    回動軸４５ａ
３ｂ    円盤部４５ｂ
３ｃ    保持部４５ｃ
３ｄ    仕切り部４５ｄ
３ｅ    ＩＣコイン保留回転盤
３ｆ    外周側端部
３ｇ    ガイドローラ
４      ＩＣコイン排出口
４ａ    ＩＣコイン排出路
５      ＩＣコイン一時停止部
６      排出規制手段
７      ＩＣコインリーダーライター部
８      受け入れ口ピン
９      リジェクト路
１０、４０      ＩＣコイン処理装置
１１    リジェクト規制ピン
１２    回収通路
２１    遊技媒体払出部
２２    遊技媒体払い出しボタン
２３    精算ボタン
２５    制御部
２６    記憶部
３０    紙幣識別装置
３１    紙幣受け入れ口
４３    変形例に係るＩＣコイン処理装置のＩＣコイン保留部
４４    中間仕切り板
４４ａ  挿通孔
４５    第1のＩＣコイン保留回転盤
４５ａ  第1のＩＣコイン保留回転盤の回動軸
４５ｂ  第1のＩＣコイン保留回転盤の円盤部
４５ｃ  第1のＩＣコイン保留回転盤の保持部
４５ｄ  第1のＩＣコイン保留回転盤の仕切り部
４６    第２のＩＣコイン保留回転盤
４６ｂ  第２のＩＣコイン保留回転盤の円盤部
４６ｃ  第２のＩＣコイン保留回転盤の保持部
４６ｄ  第２のＩＣコイン保留回転盤の仕切り部
４８ａ、４８ｂ  移送ガイド爪
４９    変形例に係るＩＣコイン処理装置の回収通路
【図１】
2006048662.tif 000003
【図２】
2006048662.tif 000004
【図３】
2006048662.tif 000005
【図４】
2006048662.tif 000006
【図５】
2006048662.tif 000007
【図６】
2006048662.tif 000008
【図７】
2006048662.tif 000009
【図８】
2006048662.tif 000010
【図９】
2006048662.tif 000011
【図１０】
2006048662.tif 000012
【図１１】
2006048662.tif 000013
【図１２】
2006048662.tif 000014
【図１３】
2006048662.tif 000015
【図１４】
2006048662.tif 000016
【図１５】
2006048662.tif 000017
【図１６】
2006048662.tif 000018
【図１７】
2006048662.tif 000019
【図１８】
2006048662.tif 000020
【図１９】
2006048662.tif 000021
【図２０】
2006048662.tif 000022
【図２１】
2006048662.tif 000023
【図２２】
2006048662.tif 000024